(57)【要約】【課題】合口を押し拡げるときに永久変形や折損が生じないカットタイプのシールリングを提供することである。【解決手段】合口対向部３を含む近傍領域を内径側へ凸形状となる厚肉部４とし、厚肉部４の凸形状となった内径側を、両側の隣接領域と滑らかなテーパ形状５で接続することにより、合口２を押し拡げるときの曲げひずみが、両側の薄肉の隣接領域との境界に集中しないようにし、永久変形や折損が生じないようにした。【選択図】図１
2008157397.tif 000002
【特許請求の範囲】
【請求項１】
円周方向の一箇所に切断された合口を有し、この合口と円周の反対側で対向する合口対向部を含む近傍領域を、内径側へ凸形状となる厚肉部としたシールリングにおいて、前記厚肉部の凸形状となった内径側を、両側の隣接領域と滑らかな形状で接続したことを特徴とするシールリング。
【請求項２】
前記厚肉部の内径側を両側の隣接領域と接続する滑らかな形状を、厚肉部から両側の隣接領域へ傾斜するテーパ形状とした請求項１に記載のシールリング。
【請求項３】
前記シールリングが、射出成形で形成された樹脂製のものである請求項１または２に記載のシールリング。
【発明の詳細な説明】
【技術分野】
【０００１】
本発明は、円周方向の一箇所に切断された合口を有するカットタイプのシールリングに関する。
【背景技術】
【０００２】
自動車の自動変速機や無段変速機の油圧装置等に用いられるシールリングには、無端状のエンドレスタイプのものと、円周方向の一箇所に切断された合口を有するカットタイプのものとがある。カットタイプのものは、合口を押し拡げるように拡径してシール溝に装着できるので、金属製のものと樹脂製のものがあり、エンドレスタイプのものは、金属製では拡径できないので、樹脂製のものに限定される。
【０００３】
前記カットタイプのシールリングは、合口を押し拡げてシール溝に装着する際に、合口と円周の反対側で対向する合口対向部に曲げモーメントが集中し、合口対向部で永久変形や折損が生じる恐れがある。特に、射出成形で形成された樹脂製のものは、均一な射出成形体を得るために、通常、樹脂を注入するゲート部が、シールリングの中央部となる合口対向部に設けられ、合口対向部の強度が若干弱くなるので、変形や折損が生じやすい。
【０００４】
このような問題に対して、樹脂製のシールリングの合口対向部を含む近傍領域を、内径側へ凸形状となる厚肉部とし、合口対向部の強度を高めたものがある（例えば、特許文献１参照）。
【０００５】
【特許文献１】特開２００４−３５３７６０号公報
【発明の開示】
【発明が解決しようとする課題】
【０００６】
特許文献１に記載されたシールリングは、合口対向部での永久変形や折損は防止できるが、厚肉部とした合口対向部の曲げ剛性が大きくなるので、合口を押し拡げるときの曲げひずみが、厚肉部と段差で接続された両側の薄肉の隣接領域との境界に集中するようになり、この隣接領域との境界で永久変形や折損が生じる恐れがある。
【０００７】
そこで、本発明の課題は、合口を押し拡げるときに永久変形や折損が生じないカットタイプのシールリングを提供することである。
【課題を解決するための手段】
【０００８】
上記の課題を解決するために、本発明は、円周方向の一箇所に切断された合口を有し、この合口と円周の反対側で対向する合口対向部を含む近傍領域を、内径側へ凸形状となる厚肉部としたシールリングにおいて、前記厚肉部の凸形状となった内径側を、両側の隣接領域と滑らかな形状で接続した構成を採用した。
【０００９】
すなわち、厚肉部の凸形状となった内径側を、両側の隣接領域と滑らかな形状で接続することにより、合口を押し拡げるときの曲げひずみが、両側の薄肉の隣接領域との境界に集中しないようにし、永久変形や折損が生じないようにした。
【００１０】
前記厚肉部の内径側を両側の隣接領域と接続する滑らかな形状は、厚肉部から両側の隣接領域へ傾斜するテーパ形状とすることができる。
【００１１】
上述した各シールリングは、射出成形で形成された樹脂製のものに好適である。
【００１２】
前記シールリングを射出成形で形成する樹脂としては、ポリフェニレンスルフィド（ＰＰＳ）等のポリアリーレンスルフィド樹脂、ポリアミドイミド（ＰＡＩ）、熱可塑性ポリイミド（ＴＰＩ）等のポリイミド樹脂、４６ナイロン、９Ｔナイロン等のポリアミド樹脂、ポリエーテルケトン（ＰＥＫ）、ポリエーテルエーテルケトン（ＰＥＥＫ）等の芳香族ポリエーテルケトン系樹脂、芳香族ポリエステル樹脂、ポリシアノアリールエーテル樹脂等や、これらの混合物を用いることができる。また、必要に応じて、これらの樹脂材料に、炭素繊維、ガラス繊維等の繊維状補強材、マイカ、タルク等の鱗状補強材、チタン酸カリウムウィスカ等の微小繊維補強材、球状シリカ、球状炭素等の充填材、ポリテトラフルオロエチレン（ＰＴＦＥ）、グラファイト、二硫化モリブデン等の固体潤滑剤、リン酸カルシウム、硫酸カルシウム等の摺動補強材等を配合することもできる。
【発明の効果】
【００１３】
本発明のシールリングは、厚肉部の凸形状となった内径側を、両側の隣接領域と滑らかな形状で接続することにより、合口を押し拡げるときの曲げひずみが、両側の薄肉の隣接領域との境界に集中しないようにしたので、カットタイプのシールリングに永久変形や折損が生じないようにすることができる。
【発明を実施するための最良の形態】
【００１４】
以下、図面に基づき、この発明の実施形態を説明する。図１（ａ）、（ｂ）に示すように、このシールリング１は矩形断面とされ、円周方向の一箇所に切断された合口２を有するカットタイプのものであり、合口２と円周の反対側で対向する合口対向部３を含む近傍領域が内径側へ凸形状となる厚肉部４とされ、この厚肉部４の内径側が、両側の薄肉の隣接領域と滑らかなテーパ形状５で接続されている。
【００１５】
前記シールリング１は、ＰＥＥＫに炭素繊維を配合して射出成形で形成した樹脂製のものであり、合口２の両側にも内径側へ凸形状となる厚肉部６が形成され、その内径側が隣接領域と段差で接続されている。この厚肉部６と合口対向部３側の厚肉部４の内径側側面には、射出成形型から離型する際の突き出しピンが押し当てられ、シール面となる外径側側面に突き出しピンの跡が付かないようにされている。
【００１６】
図２（ａ）、（ｂ）は、上述した厚肉部４の内径側を隣接領域と滑らかなテーパ形状５で接続したもの（実施例）と、特許文献１に記載されたように、厚肉部４の内径側を隣接領域と段差１１で接続したもの（比較例）について、合口２を押し拡げたときの、厚肉部４と隣接領域との境界部分における曲げひずみεの分布を示す。なお、曲げひずみεの分布は左右対称であるので、図２（ａ）、（ｂ）は片側の半円分のみを示す。いずれの場合も、剛性の大きい厚肉部４では曲げひずみεがほとんど生じないが、図２（ｂ）に示した比較例のものでは、曲げひずみεが段差１１の部分に集中し、その最大値εＭＡＸが非常に大きくなる。これに対して、図２（ａ）に示した実施例のものでは、曲げひずみεがテーパ形状５の部分に分散し、その最大値εＭＡＸもかなり小さくなる。したがって、実施例のものでは、合口２を押し拡げるときに、厚肉部４と隣接領域との境界部分で永久変形や折損が生じることはない。
【００１７】
上述した実施形態では、シールリングの断面形状を矩形断面とし、合口対向部近傍の厚肉部を両側の隣接領域とテーパ形状で接続したが、この隣接領域との接続は滑らかであればよく、緩やかなＲ形状等で接続することもできる。
【００１８】
また、上述した実施形態では、射出成形で形成された樹脂製のものとし、その断面形状を矩形断面としたが、本発明に係るシールリングは、切削加工等の他の方法で形成された樹脂製のものや金属製のものにも適用することができ、断面形状も矩形断面のものに限定されることはない。なお、射出成形で形成された樹脂製のものでない場合は、合口の両側の厚肉部は不要とすることができる。
【図面の簡単な説明】
【００１９】
【図１】ａはシールリングの実施形態を示す正面図、ｂはａのIb−Ib線に沿った断面図
【図２】ａ、ｂは、それぞれ実施例と比較例のシールリングについて、合口を押し拡げたときに生じる曲げひずみεの分布を説明する説明図
【符号の説明】
【００２０】
１  シールリング
２  合口
３  合口対向部
４  厚肉部
５  テーパ形状
６  厚肉部
【図１】
2008157397.tif 000003
【図２】
2008157397.tif 000004